(57)【特許請求の範囲】
【請求項１】
車体に回動可能に支持されたブレーキペダルと、
衝突事故発生時に前記車体によって強制的に回転して、前記ブレーキペダルを運転者から遠くなる自動車の前方に強制回転させる回動レバーと、を備え、
前記ブレーキペダルがブレーキペダルマウンティングブラケットを介して車体ブラケットに離脱可能に取り付けられ、前記回動レバーは衝突事故発生時に前記車体ブラケットによって回転するように前記ブレーキペダルマウンティングブラケットにヒンジ軸を介して回動可能に設けられ、
前記ヒンジ軸は、前記ブレーキペダルマウンティングブラケットを貫通するヒンジ軸ボルトと、前記回動レバーが嵌められて一体に固定されるように取り付けられるヒンジ軸パイプと、前記ヒンジ軸パイプに結合されたピンとを備え、前記ピンは所定大きさ以上の衝撃力が加われば破損され、前記回動レバーが前記ブレーキペダルを強制回転させることを特徴とするブレーキペダル装置。
【請求項２】
前記ブレーキペダルの上部には環状のアームが一体に突出して形成され、前記回動レバーは前記車体ブラケット側に延びた一端と前記アームにかかるように延びた他端とを各々備えることを特徴とする請求項１に記載のブレーキペダル装置。
【請求項３】
前記ヒンジ軸ボルトの一端にはワッシャとナットが嵌められ、前記ヒンジ軸ボルトの他端にはブッシュが嵌められることを特徴とする請求項１に記載のブレーキペダル装置。
【請求項４】
前記ブレーキペダルマウンティングブラケットには十字形状の結合孔が形成され、前記ヒンジ軸パイプには複数の結合溝が円周方向に形成され、前記ピンには前記結合孔を貫通して前記結合溝に嵌められて結合される複数の結合突起が形成されることを特徴とする請求項１に記載のブレーキペダル装置。
【請求項５】
前記ピンは、所定大きさ以上の衝撃力が加えられれば、前記結合突起が破損されるようにプラスチック材質からなることを特徴とする請求項４に記載のブレーキペダル装置。
【発明の詳細な説明】
【技術分野】
【０００１】
本発明は、ブレーキペダル装置に係り、より詳しくは、自動車の衝突事故発生時にブレーキペダルによる運転者の傷害を防止するようにしたブレーキペダル装置に関する。
【背景技術】
【０００２】
従来の自動車のブレーキペダルは、車体にヒンジを介して回動可能に設けられ、運転者がブレーキペダルを操作すれば、ブレーキペダルの操作力がブレーキ油圧発生装置に伝達されてブレーキ油圧が発生し、このように発生したブレーキ油圧が車輪に設けられたブレーキ本体に伝達されて車輪を制動する。
上記のようにブレーキペダルが車体に回動可能に支持された状態で自動車が衝突事故を起こせば、車体が運転者側に押され、車体の押圧によって車体に設けられたブレーキペダルも運転者側に押されて、運転者の脚部を打撃して傷害を負わせることになる。
このような自動車の衝突事故発生時のブレーキペダルによる運転者の傷害を軽減あるいは防止するために、従来もブレーキペダルの運転者側への押圧を防止する色々な技術が提案されている。
【先行技術文献】
【特許文献】
【０００３】
【特許文献１】特開２０００−３３５３６０号公報
【発明の概要】
【発明が解決しようとする課題】
【０００４】
本発明は、ブレーキペダルが車体に支持された状態で衝突事故発生により車体とブレーキペダルが運転者側に押される時、ブレーキペダルによる運転者の傷害を効果的に防止できるようにしたブレーキペダル装置の提供を目的とする。
【課題を解決するための手段】
【０００５】
上記の目的を達成するためになされた本発明は、車体に回動可能に支持されたブレーキペダルと、衝突事故発生時に車体によって強制的に回転して、ブレーキペダルを運転者から遠くなる自動車の前方に強制回転させる回動レバーと、を備えたことを特徴とする。
【０００６】
ブレーキペダルがブレーキペダルマウンティングブラケットを介して車体ブラケットに離脱可能に取り付けられ、回動レバーは衝突事故発生時に車体ブラケットによって回転するようにブレーキペダルマウンティングブラケットに回転可能に設けられることを特徴とする。
【０００７】
ブレーキペダルの上部には環状のアームが一体に突出して形成され、回動レバーは車体ブラケット側に延びた一端とアームにかかるように延びた他端とを各々備えることを特徴とする。
【０００８】
回動レバーはブレーキペダルマウンティングブラケットにヒンジ軸を介して回動可能に設けられ、ヒンジ軸は、ブレーキペダルマウンティングブラケットを貫通するヒンジ軸ボルトと、回動レバーが嵌められて一体に固定されるように取り付けられるヒンジ軸パイプと、ヒンジ軸パイプに結合されたピンとを備え、ピンは所定大きさ以上の衝撃力が加われば破損され、回動レバーがブレーキペダルを強制回転させることを特徴とする。
【０００９】
ヒンジ軸ボルトの一端にはワッシャとナットが嵌められ、ヒンジ軸ボルトの他端にはブッシュが嵌められることを特徴とする。
【００１０】
ブレーキペダルマウンティングブラケットには十字形状の結合孔が形成され、ヒンジ軸パイプには複数の結合溝が円周方向に形成され、ピンには結合孔を貫通して結合溝に嵌められて結合される複数の結合突起が形成されることを特徴とする。
【００１１】
ピンは、所定大きさ以上の衝撃力が加えられれば、結合突起が破損されるようにプラスチック材質からなることを特徴とする。
【発明の効果】
【００１２】
本発明のブレーキペダル装置によれば、自動車の衝突事故発生時に車体に押されで回転するレバーによってブレーキペダルが運転者から遠くなる自動車の前方に強制的に回転することにより、ブレーキペダルによる運転者の傷害を効果的に防止することができる。
また、構造が簡単であるために自動車の重量および原価節減を図ることができるだけでなく、レイアウト上も有利であり、傷害低減のためにブレーキペダルの強度を弱める必要がないために十分なペダル強度を確保することができ、いかなる形態の前方衝突状況においてもブレーキペダルの強制的な回転によって運転者の傷害を確実に予防できるなどの効果がある。
【図面の簡単な説明】
【００１３】
【図１】本発明によるブレーキペダル装置の側面図である。
【図２】本発明によるブレーキペダル装置の衝突事故発生時の作動説明図である。
【図３】本発明によるヒンジ軸の分解斜視図である。
【図４】本発明によるヒンジ軸の先端部斜視図である。
【図５】本発明によるヒンジ軸がブレーキペダルマウンティングブラケットに締結された状態の断面図である。
【発明を実施するための形態】
【００１４】
以下、本発明を添付した図面に基づいてより詳細に説明する。
図１には本発明によるブレーキペダル装置の衝突前の状態を示す。
車体にはカウルブラケット１が取り付けられ、カウルブラケット１にブレーキペダルマウンティングブラケット２が離脱可能に締結される。
ブレーキペダルマウンティングブラケット２にはブレーキペダル３がヒンジ軸４を中心に回転可能に設けられる。
ブレーキペダル３がブレーキペダルマウンティングブラケット２の内部に収容されたブレーキペダル３の上部には環状に曲げられたアーム３ａがブレーキペダル３と一体に連動するように形成される。
【００１５】
ヒンジ軸４はブレーキペダルの上部およびアーム３ａを貫通して設けられ、ブレーキペダル３とそのアーム３ａがヒンジ軸４を中心に一体に回転できるようになる。
ブレーキペダルマウンティングブラケット２には回動レバー５がそのヒンジ軸６を中心に回転できるように設けられ、回動レバー５は大体Ｌ字形状で折り曲げられ、その一端５ａがアーム３ａにかかるように形成される反面、他端５ｂはカウルブラケット１に接触するように形成される。
【００１６】
図２には本発明によるブレーキペダル装置の衝突事故発生時の作動状態を示す。すなわち、自動車の前方衝突事故発生時に車体が運転者側に押され、その衝撃力が図２において矢印で示すようにブレーキペダルマウンティングブラケット２に伝達され、ブレーキペダルマウンティングブラケット２は伝えられた衝撃力によってカウルブラケット１から離脱される。
また、回動レバー５はカウルブラケット１によって矢印で示すように反時計方向にヒンジ軸６を中心に回転し、回動レバー５の回転により、アーム３ａとブレーキペダル３はヒンジ軸４を中心に時計方向に回転する。すなわち、ブレーキペダル３が運転者から遠くなる自動車の前方に回転して、ブレーキペダル３による運転者の傷害を効果的に防止する。
【００１７】
以下、図３〜図５を参照して回動レバー５のヒンジ軸６について説明する。
ヒンジ軸６は、ブレーキペダルマウンティングブラケット２を貫通するヒンジ軸ボルト６ａと、回動レバー５が嵌められて一体に固定されるように取り付けられるヒンジ軸パイプ６ｂと、ヒンジ軸パイプ６ｂに形成された結合溝６ｂａに嵌められて結合されるピン６ｃと、ヒンジ軸ボルト６ａの一端に嵌められるワッシャ６ｄとナット６ｅ、およびヒンジ軸ボルト６ａが貫通して挿入されるブッシュ６ｆからなる。
ブレーキペダルマウンティングブラケット２には十字形状の結合孔２ａが複数形成され、ピン６ｃには結合孔２ａに各々挿入される複数の結合突起６ｃａが半径方向に一体に突出して形成され、結合突起６ｃａは図５の断面図で詳しく示すように結合孔２ａを先に貫通した後にヒンジ軸パイプ６ｂの結合溝６ｂａに各々挿入されて結合される。
【００１８】
ピン６ｃは好ましくはプラスチック材質からなり、所定大きさ以上の外力が加えられれば破損される。すなわち、回動レバー５がカウルブラケット１によって強制的に回転する時に回動レバー５のヒンジ軸パイプ６ｂも共に回転し、ヒンジ軸パイプ６ｂの回転力が所定大きさ以上であれば、ヒンジ軸パイプ６ｂに結合されたピン６ｃの結合突起６ｃａが破損され、回動レバー５が回転できる。
ピン６ｃとその結合突起６ｃａの形状、個数および材質は多様に選択することができ、例えば、複数の突起を有した一字型で形成することができ、多角形も可能であり、スチール材質のクリップも可能である。
【符号の説明】
【００１９】
１  ・・・カウルブラケット
２  ・・・ブレーキペダルマウンティングブラケット
３  ・・・ブレーキペダル
４  ・・・ヒンジ軸
５  ・・・回動レバー
６  ・・・ヒンジ軸
【図１】
0005770025.tif 000002
【図２】
0005770025.tif 000003
【図３】
0005770025.tif 000004
【図４】
0005770025.tif 000005
【図５】
0005770025.tif 000006